(57)【要約】【課題】コールバックが不要な場合にはコールバックをしなくてもＰＰＰ接続が可能な情報通信端末を提供すること。【解決手段】この情報通信端末１０は、情報通信装置２０から送信される回線接続要求を受信する接続要求受信部１０１と、当該受信した回線接続要求に基づいて通信回線が接続された後に、当該通信回線を用いてＰＰＰ接続するためのＰＰＰ接続要求を情報通信装置２０に送信するＰＰＰ要求送信部１０２と、を含む。【選択図】　図１
2004070581.tif 000002
【特許請求の範囲】
【請求項１】
情報通信装置から送信される回線接続要求を受信する接続要求受信手段と、
当該受信した回線接続要求に基づいて通信回線が接続された後に、当該通信回線を用いてＰＰＰ接続するためのＰＰＰ接続要求を、前記回線接続要求を送信した情報通信装置に送信するＰＰＰ要求送信手段と、
を含む情報通信端末。
【請求項２】
情報通信装置から送信される回線接続要求を受信する接続要求受信手段と、
当該受信した回線接続要求に基づいて通信回線が接続された後に、当該通信回線を用いてコールバックの要否を特定するコールバック情報を受信する要否情報受信手段と、
当該コールバック情報がコールバックを要しないものである場合にはそのまま通信回線の接続を維持し、当該コールバック情報がコールバックを要するものである場合には接続されている通信回線を切断する回線切断手段と、
前記回線切断手段が通信回線を切断した場合に、前記情報通信装置に回線接続要求を送信する再接続要求送信手段と、
当該送信した回線接続要求に基づいて通信回線が接続された後に、当該通信回線を用いてＰＰＰ接続するためのＰＰＰ接続要求を、前記情報通信装置に送信するＰＰＰ要求送信手段と、
を含む情報通信端末。
【請求項３】
選択された情報通信端末に回線接続要求を送信する接続要求送信手段と、
当該送信した回線接続要求に基づいて通信回線が接続された後に、前記情報通信端末から送信されるＰＰＰ接続要求を受信してＰＰＰ接続を確立するＰＰＰ要求受信手段と、
を含む情報通信装置。
【請求項４】
選択された情報通信端末に回線接続要求を送信する接続要求送信手段と、
当該送信した回線接続要求に基づいて通信回線が接続された後に、当該通信回線を用いて前記情報通信端末にコールバックの要否を特定するコールバック情報を送信する要否情報送信手段と、
当該コールバック情報を受信した前記情報通信端末が前記通信回線を切断した後に、前記情報通信端末から送信される回線接続要求を受信する再接続要求受信手段と、
当該受信した回線接続要求に基づいて通信回線が接続された後に、前記情報通信端末から送信されるＰＰＰ接続要求に基づいてＰＰＰ接続を確立するＰＰＰ要求受信手段と、
を含む情報通信装置。
【請求項５】
選択された情報通信端末に回線接続要求を送信する接続要求送信手段と、
当該送信された回線接続要求を受信する接続要求受信手段と、
当該受信した回線接続要求に基づいて通信回線が接続された後に、当該通信回線を用いてＰＰＰ接続するためのＰＰＰ接続要求を、前記回線接続要求を送信した情報通信装置に送信するＰＰＰ要求送信手段と、
当該送信されたＰＰＰ接続要求を受信してＰＰＰ接続を確立するＰＰＰ要求受信手段と、
を含む情報通信システム。
【請求項６】
選択された情報通信端末に回線接続要求を送信する接続要求送信手段と、
当該送信された回線接続要求を受信する接続要求受信手段と、
前記送信した回線接続要求に基づいて通信回線が接続された後に、当該通信回線を用いて前記情報通信端末にコールバックの要否を特定するコールバック情報を送信する要否情報送信手段と、
当該送信されたコールバック情報を受信する要否情報受信手段と、
当該コールバック情報がコールバックを要しないものである場合にはそのまま通信回線の接続を維持し、当該コールバック情報がコールバックを要するものである場合には接続されている通信回線を切断する回線切断手段と、
前記回線切断手段が通信回線を切断した場合に、情報通信装置に回線接続要求を送信する再接続要求送信手段と、
当該送信された回線接続要求を受信する再接続要求受信手段と、
当該送信した回線接続要求に基づいて通信回線が接続された後に、当該通信回線を用いてＰＰＰ接続するためのＰＰＰ接続要求を、前記情報通信装置に送信するＰＰＰ要求送信手段と、
当該送信されたＰＰＰ接続要求を受信してＰＰＰ接続を確立するＰＰＰ要求受信手段と、
を含む情報通信システム。
【請求項７】
接続要求送信手段が、選択された情報通信端末に回線接続要求を送信する接続要求送信ステップと、
接続要求受信手段が、当該送信された回線接続要求を受信する接続要求受信ステップと、
当該受信した回線接続要求に基づいて通信回線が接続された後に、ＰＰＰ要求送信手段が、当該通信回線を用いてＰＰＰ接続するためのＰＰＰ接続要求を、前記回線接続要求を送信した情報通信装置に送信するＰＰＰ要求送信ステップと、ＰＰＰ要求受信手段が、当該送信されたＰＰＰ接続要求を受信してＰＰＰ接続を確立するＰＰＰ要求受信ステップと、
を含む情報通信方法。
【請求項８】
接続要求送信手段が、選択された情報通信端末に回線接続要求を送信する接続要求送信ステップと、
接続要求受信手段が、当該送信された回線接続要求を受信する接続要求受信ステップと、
前記送信した回線接続要求に基づいて通信回線が接続された後に、要否情報送信手段が、当該通信回線を用いて前記情報通信端末にコールバックの要否を特定するコールバック情報を送信する要否情報送信ステップと、
要否情報受信手段が、当該送信されたコールバック情報を受信する要否情報受信ステップと、
回線切断手段が、当該コールバック情報がコールバックを要しないものである場合にはそのまま通信回線の接続を維持し、当該コールバック情報がコールバックを要するものである場合には接続されている通信回線を切断する回線切断ステップと、
前記回線切断手段が通信回線を切断した場合に、再接続要求送信手段が、情報通信装置に回線接続要求を送信する再接続要求送信ステップと、
再接続要求受信手段が、当該送信された回線接続要求を受信する再接続要求受信ステップと、
当該送信した回線接続要求に基づいて通信回線が接続された後に、ＰＰＰ要求送信手段が、当該通信回線を用いてＰＰＰ接続するためのＰＰＰ接続要求を、前記情報通信装置に送信するＰＰＰ要求送信ステップと、
ＰＰＰ要求受信手段が、当該送信されたＰＰＰ接続要求を受信してＰＰＰ接続を確立するＰＰＰ要求受信ステップと、
を含む情報通信方法。
【請求項９】
コンピュータを、
情報通信装置から送信される回線接続要求を受信する接続要求受信手段と、
当該受信した回線接続要求に基づいて通信回線が接続された後に、当該通信回線を用いてＰＰＰ接続するためのＰＰＰ接続要求を、前記回線接続要求を送信した情報通信装置に送信するＰＰＰ要求送信手段と、
して機能させるための情報通信プログラム。
【請求項１０】
コンピュータを、
情報通信装置から送信される回線接続要求を受信する接続要求受信手段と、
当該受信した回線接続要求に基づいて通信回線が接続された後に、当該通信回線を用いてコールバックの要否を特定するコールバック情報を受信する要否情報受信手段と、
当該コールバック情報がコールバックを要しないものである場合にはそのまま通信回線の接続を維持し、当該コールバック情報がコールバックを要するものである場合には接続されている通信回線を切断する回線切断手段と、
前記回線切断手段が通信回線を切断した場合に、前記情報通信装置に回線接続要求を送信する再接続要求送信手段と、
当該送信した回線接続要求に基づいて通信回線が接続された後に、当該通信回線を用いてＰＰＰ接続するためのＰＰＰ接続要求を、前記情報通信装置に送信するＰＰＰ要求送信手段と、
して機能させるための情報通信プログラム。
【請求項１１】
コンピュータを、
選択された情報通信端末に回線接続要求を送信する接続要求送信手段と、
当該送信した回線接続要求に基づいて通信回線が接続された後に、前記情報通信端末から送信されるＰＰＰ接続要求を受信してＰＰＰ接続を確立するＰＰＰ要求受信手段と、
して機能させるための情報通信プログラム。
【請求項１２】
コンピュータを、
選択された情報通信端末に回線接続要求を送信する接続要求送信手段と、
当該送信した回線接続要求に基づいて通信回線が接続された後に、当該通信回線を用いて前記情報通信端末にコールバックの要否を特定するコールバック情報を送信する要否情報送信手段と、
当該コールバック情報を受信した前記情報通信端末が前記通信回線を切断した後に、前記情報通信端末から送信される回線接続要求を受信する再接続要求受信手段と、
当該受信した回線接続要求に基づいて通信回線が接続された後に、前記情報通信端末から送信されるＰＰＰ接続要求に基づいてＰＰＰ接続を確立するＰＰＰ要求受信手段と、
して機能させるための情報通信プログラム。
【請求項１３】
請求項９から１２のいずれか１項に記載の情報通信プログラムが記録されたことを特徴とするコンピュータ読取可能な記録媒体。
【発明の詳細な説明】
【０００１】
【発明の属する技術分野】
本発明は、情報通信端末、情報通信装置、情報通信システム、情報通信方法、情報通信プログラム、及び、コンピュータ読取可能な記録媒体に関するものである。
【０００２】
【従来の技術】
ＰＤＡ（Ｐｅｒｓｏｎａｌ　Ｄｉｇｉｔａｌ　Ａｓｓｉｓｔａｎｃｅ）といった個人用の情報通信端末は通信機能を持っているものが増えている。しかしながら、情報通信端末は小型軽量にすることが求められており、機能を簡略化するためにＰＰＰ（Ｐｏｉｎｔ　ｔｏ　Ｐｏｉｎｔ　Ｐｒｏｔｏｃｏｌ）着信機能を持たないものが多い。従って、情報通信センタ側に設置されているサーバといった情報通信装置から情報通信端末に接続する場合には、最初に情報通信装置から情報通信端末を呼び出し、一度通信回線を切断する。その後、情報通信端末から通信回線を接続してＰＰＰ接続を確立するといういわゆるコールバックをする必要があった。
【０００３】
【発明が解決しようとする課題】
従来のように必ず情報通信端末側からコールバックをする場合には、コールバックをしない場合に比較して通信料金が多くかかってしまう。また、情報通信装置が情報通信端末を呼び出してからコールバックするまでの間は、情報通信装置側でリモートアクセスを待ち受ける必要があり、情報通信装置に対する不正アクセスの危険性が高くなる。
【０００４】
そこで本発明では、コールバックが不要な場合にはコールバックをしなくてもＰＰＰ接続が可能な、情報通信端末、情報通信装置、情報通信システム、情報通信方法、情報通信プログラム、及び、コンピュータ読取可能な記録媒体を提供することを課題とする。
【０００５】
【課題を解決するための手段】
本発明の情報通信端末は、情報通信装置から送信される回線接続要求を受信する接続要求受信手段と、当該受信した回線接続要求に基づいて通信回線が接続された後に、当該通信回線を用いてＰＰＰ接続するためのＰＰＰ接続要求を、回線接続要求を送信した情報通信装置に送信するＰＰＰ要求送信手段と、を含む。
【０００６】
本発明の情報通信プログラムは、コンピュータを、情報通信装置から送信される回線接続要求を受信する接続要求受信手段と、当該受信した回線接続要求に基づいて通信回線が接続された後に、当該通信回線を用いてＰＰＰ接続するためのＰＰＰ接続要求を、回線接続要求を送信した情報通信装置に送信するＰＰＰ要求送信手段と、して機能させる。
【０００７】
本発明の情報通信端末によれば、情報通信装置側からの回線接続要求に基づいて接続される通信回線を用いて、ＰＰＰ接続要求を情報通信装置に送信するので、回線接続を始める側とＰＰＰ接続を始める側とが異なることとなる。従って、情報通信装置側からの回線接続要求に応じて接続された通信回線を切断する必要がなくなり、情報通信端末側から必ずコールバックをする必要がなくなる。また、コンピュータを用いて本発明の情報通信プログラムを実行しても同様の作用を奏する。
【０００８】
本発明の情報通信端末は、情報通信装置から送信される回線接続要求を受信する接続要求受信手段と、当該受信した回線接続要求に基づいて通信回線が接続された後に、当該通信回線を用いてコールバックの要否を特定するコールバック情報を受信する要否情報受信手段と、当該コールバック情報がコールバックを要しないものである場合にはそのまま通信回線の接続を維持し、当該コールバック情報がコールバックを要するものである場合には接続されている通信回線を切断する回線切断手段と、回線切断手段が通信回線を切断した場合に、情報通信装置に回線接続要求を送信する再接続要求送信手段と、当該送信した回線接続要求に基づいて通信回線が接続された後に、当該通信回線を用いてＰＰＰ接続するためのＰＰＰ接続要求を、情報通信装置に送信するＰＰＰ要求送信手段と、を含む。
【０００９】
本発明の情報通信プログラムは、コンピュータを、情報通信装置から送信される回線接続要求を受信する接続要求受信手段と、当該受信した回線接続要求に基づいて通信回線が接続された後に、当該通信回線を用いてコールバックの要否を特定するコールバック情報を受信する要否情報受信手段と、当該コールバック情報がコールバックを要しないものである場合にはそのまま通信回線の接続を維持し、当該コールバック情報がコールバックを要するものである場合には接続されている通信回線を切断する回線切断手段と、回線切断手段が通信回線を切断した場合に、情報通信装置に回線接続要求を送信する再接続要求送信手段と、当該送信した回線接続要求に基づいて通信回線が接続された後に、当該通信回線を用いてＰＰＰ接続するためのＰＰＰ接続要求を、情報通信装置に送信するＰＰＰ要求送信手段と、して機能させる。
【００１０】
本発明の情報通信端末によれば、情報通信装置側からの回線接続要求に基づいて接続される通信回線を用いて、コールバックを要するか否かのコールバック情報を受信するので、コールバックの要否に応じた通信が可能となる。例えば、コールバックが必要な場合には、接続されている通信回線を切断し、情報通信端末側からのコールバックによって再度接続した通信回線を用いてＰＰＰ接続要求を情報通信装置に送信できる。一方、コールバックが必要でない場合には、そのまま接続されている通信回線を用いてＰＰＰ接続要求を情報通信装置に送信できる。また、コンピュータを用いて本発明の情報通信プログラムを実行しても同様の作用を奏する。
【００１１】
本発明の情報通信装置は、選択された情報通信端末に回線接続要求を送信する接続要求送信手段と、当該送信した回線接続要求に基づいて通信回線が接続された後に、情報通信端末から送信されるＰＰＰ接続要求を受信してＰＰＰ接続を確立するＰＰＰ要求受信手段と、を含む。
【００１２】
本発明の情報通信プログラムは、コンピュータを、選択された情報通信端末に回線接続要求を送信する接続要求送信手段と、当該送信した回線接続要求に基づいて通信回線が接続された後に、情報通信端末から送信されるＰＰＰ接続要求を受信してＰＰＰ接続を確立するＰＰＰ要求受信手段と、して機能させる。
【００１３】
本発明の情報通信装置によれば、回線接続要求を送信した相手側の情報通信端末から送信されるＰＰＰ接続要求を受信してＰＰＰ接続を確立するので、回線接続を始める側とＰＰＰ接続を始める側とが異なることとなる。従って、情報通信端末に送信した回線接続要求に応じて接続された通信回線を切断する必要がなくなり、情報通信端末側から必ずコールバックをする必要がなくなる。また、コンピュータを用いて本発明の情報通信プログラムを実行しても同様の作用を奏する。
【００１４】
本発明の情報通信装置は、選択された情報通信端末に回線接続要求を送信する接続要求送信手段と、当該送信した回線接続要求に基づいて通信回線が接続された後に、当該通信回線を用いて情報通信端末にコールバックの要否を特定するコールバック情報を送信する要否情報送信手段と、当該コールバック情報を受信した情報通信端末が通信回線を切断した後に、情報通信端末から送信される回線接続要求を受信する再接続要求受信手段と、当該受信した回線接続要求に基づいて通信回線が接続された後に、情報通信端末から送信されるＰＰＰ接続要求に基づいてＰＰＰ接続を確立するＰＰＰ要求受信手段と、を含む。
【００１５】
本発明の情報通信プログラムは、コンピュータを、選択された情報通信端末に回線接続要求を送信する接続要求送信手段と、当該送信した回線接続要求に基づいて通信回線が接続された後に、当該通信回線を用いて情報通信端末にコールバックの要否を特定するコールバック情報を送信する要否情報送信手段と、当該コールバック情報を受信した情報通信端末が通信回線を切断した後に、情報通信端末から送信される回線接続要求を受信する再接続要求受信手段と、当該受信した回線接続要求に基づいて通信回線が接続された後に、情報通信端末から送信されるＰＰＰ接続要求に基づいてＰＰＰ接続を確立するＰＰＰ要求受信手段と、して機能させる。
【００１６】
本発明の情報通信装置によれば、情報通信端末に送信した回線接続要求に基づいて接続される通信回線を用いて、コールバックを要するか否かのコールバック情報を送信するので、コールバックの要否に応じた通信が可能となる。例えば、コールバックが必要な場合には、接続されている通信回線を切断し、情報通信端末側からのコールバックによって再度接続した通信回線を用いてＰＰＰ接続要求を受信できる。一方、コールバックが必要でない場合には、そのまま接続されている通信回線を用いてＰＰＰ接続要求を受信できる。また、コンピュータを用いて本発明の情報通信プログラムを実行しても同様の作用を奏する。
【００１７】
本発明の情報通信システムは、選択された情報通信端末に回線接続要求を送信する接続要求送信手段と、当該送信された回線接続要求を受信する接続要求受信手段と、当該受信した回線接続要求に基づいて通信回線が接続された後に、当該通信回線を用いてＰＰＰ接続するためのＰＰＰ接続要求を、回線接続要求を送信した情報通信装置に送信するＰＰＰ要求送信手段と、当該送信されたＰＰＰ接続要求を受信してＰＰＰ接続を確立するＰＰＰ要求受信手段と、を含む。
【００１８】
本発明の情報通信方法は、接続要求送信手段が、選択された情報通信端末に回線接続要求を送信する接続要求送信ステップと、接続要求受信手段が、当該送信された回線接続要求を受信する接続要求受信ステップと、当該受信した回線接続要求に基づいて通信回線が接続された後に、ＰＰＰ要求送信手段が、当該通信回線を用いてＰＰＰ接続するためのＰＰＰ接続要求を、回線接続要求を送信した情報通信装置に送信するＰＰＰ要求送信ステップと、ＰＰＰ要求受信手段が、当該送信されたＰＰＰ接続要求を受信してＰＰＰ接続を確立するＰＰＰ要求受信ステップと、を含む。
【００１９】
本発明の情報通信システム及び情報通信方法によれば、情報通信装置側からの回線接続要求に基づいて接続される通信回線を用いて、情報通信端末がＰＰＰ接続要求を情報通信装置に送信するので、回線接続を始める側とＰＰＰ接続を始める側とが異なることとなる。従って、情報通信装置側からの回線接続要求に応じて接続された通信回線を切断する必要がなくなり、情報通信端末側から必ずコールバックをする必要がなくなる。
【００２０】
本発明の情報通信システムは、選択された情報通信端末に回線接続要求を送信する接続要求送信手段と、当該送信された回線接続要求を受信する接続要求受信手段と、送信した回線接続要求に基づいて通信回線が接続された後に、当該通信回線を用いて情報通信端末にコールバックの要否を特定するコールバック情報を送信する要否情報送信手段と、当該送信されたコールバック情報を受信する要否情報受信手段と、当該コールバック情報がコールバックを要しないものである場合にはそのまま通信回線の接続を維持し、当該コールバック情報がコールバックを要するものである場合には接続されている通信回線を切断する回線切断手段と、回線切断手段が通信回線を切断した場合に、情報通信装置に回線接続要求を送信する再接続要求送信手段と、当該送信された回線接続要求を受信する再接続要求受信手段と、当該送信した回線接続要求に基づいて通信回線が接続された後に、当該通信回線を用いてＰＰＰ接続するためのＰＰＰ接続要求を、情報通信装置に送信するＰＰＰ要求送信手段と、当該送信されたＰＰＰ接続要求を受信してＰＰＰ接続を確立するＰＰＰ要求受信手段と、を含む。
【００２１】
本発明の情報通信方法は、接続要求送信手段が、選択された情報通信端末に回線接続要求を送信する接続要求送信ステップと、接続要求受信手段が、当該送信された回線接続要求を受信する接続要求受信ステップと、送信した回線接続要求に基づいて通信回線が接続された後に、要否情報送信手段が、当該通信回線を用いて情報通信端末にコールバックの要否を特定するコールバック情報を送信する要否情報送信ステップと、要否情報受信手段が、当該送信されたコールバック情報を受信する要否情報受信ステップと、回線切断手段が、当該コールバック情報がコールバックを要しないものである場合にはそのまま通信回線の接続を維持し、当該コールバック情報がコールバックを要するものである場合には接続されている通信回線を切断する回線切断ステップと、回線切断手段が通信回線を切断した場合に、再接続要求送信手段が、情報通信装置に回線接続要求を送信する再接続要求送信ステップと、再接続要求受信手段が、当該送信された回線接続要求を受信する再接続要求受信ステップと、当該送信した回線接続要求に基づいて通信回線が接続された後に、ＰＰＰ要求送信手段が、当該通信回線を用いてＰＰＰ接続するためのＰＰＰ接続要求を、情報通信装置に送信するＰＰＰ要求送信ステップと、ＰＰＰ要求受信手段が、当該送信されたＰＰＰ接続要求を受信してＰＰＰ接続を確立するＰＰＰ要求受信ステップと、を含む。
【００２２】
本発明の情報通信システム及び情報通信方法によれば、情報通信装置側からの回線接続要求に基づいて接続される通信回線を用いて、コールバックを要するか否かのコールバック情報を受信するので、コールバックの要否に応じた通信が可能となる。例えば、コールバックが必要な場合には、接続されている通信回線を切断し、情報通信端末側からのコールバックによって再度接続した通信回線を用いてＰＰＰ接続要求を情報通信装置に送信できる。一方、コールバックが必要でない場合には、そのまま接続されている通信回線を用いてＰＰＰ接続要求を情報通信装置に送信できる。
【００２３】
本発明のコンピュータ読取可能な記録媒体は、上記いずれかの情報通信プログラムが記録されている。コンピュータを用いて、本発明の記録媒体に記録された情報通信プログラムを実行すると、情報通信装置側からの回線接続要求に基づいて接続される通信回線を用いて、ＰＰＰ接続要求を情報通信装置に送信するので、回線接続を始める側とＰＰＰ接続を始める側とが異なることとなる。従って、情報通信装置側からの回線接続要求に応じて接続された通信回線を切断する必要がなくなり、情報通信端末側から必ずコールバックをする必要がなくなる。
【００２４】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２５】
本発明の実施形態である情報通信システムについて図１を用いて説明する。図１は情報通信システム１を説明するための図である。情報通信システム１は、センタ側サーバとしての情報通信装置２０及び情報通信端末１０を含む。情報通信装置２０と情報通信端末１０とは図示しない移動体通信網を介して通信可能なように構成されている。図示しない移動体通信網は、音声通話のための音声通信網と、データ通信のためのパケット通信網又はデータ通信のための回線交換網とを含むものである。
【００２６】
まず、情報通信装置２０について説明する。情報通信装置２０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００２７】
情報通信装置２０は、機能的な構成要素として、接続要求送信部（接続要求送信手段）２０１と、ＰＰＰ要求受信部（ＰＰＰ要求受信手段）２０２と、要否情報送信部（要否情報送信手段）２０３と、再接続要求受信部（再接続要求受信手段）２０４と、を含む。引き続いて、各構成要素について詳細に説明する。
【００２８】
接続要求送信部２０１は、通信先として選択された情報通信端末１０に回線接続要求を送信する部分である。例えば、情報通信装置２０に含まれるメールチェックエージェントやウェブチェックエージェントといったエージェントプログラムが、データ更新の必要性を適宜チェックし、その結果データ更新の必要性が認められる情報通信端末を選択するといった態様で情報通信端末１０が選択される。
【００２９】
ＰＰＰ要求受信部２０２は、接続要求送信部２０１が送信した回線接続要求に基づいて通信回線が接続された後に、その通信回線を使用して情報通信端末１０から送信されるＰＰＰ接続要求を受信してＰＰＰ接続を確立する部分である。
【００３０】
要否情報送信部２０３は、接続要求送信部２０１が送信した回線接続要求に基づいて通信回線が接続された後に、その通信回線を使用して情報通信端末１０にコールバックの要否を特定するコールバック情報を送信する部分である。コールバックとは、情報通信端末１０から情報通信装置２０に対して回線接続要求をすることを意味する。
【００３１】
再接続要求受信部２０４は、コールバック情報を受信した情報通信端末１０が通信回線を切断した後に、情報通信端末１０から送信される回線接続要求を受信する部分である。再接続要求受信部２０４は、回線接続要求を受信すると情報通信端末１０との間で通信回線を接続する。
【００３２】
引き続いて、情報通信端末１０について説明する。情報通信端末１０は、物理的には、ＣＰＵ（中央処理装置）、メモリ、マウスやキーパッドといった入力装置、ディスプレイといった表示装置、ハードディスクといった格納装置、モデムといった通信装置などを備えた携帯型のコンピュータシステムとして構成されており、一般的にはＰＤＡと呼称されているものを含む。
【００３３】
情報通信端末１０は機能的な構成要素として、接続要求受信部（接続要求受信手段）１０１と、ＰＰＰ要求送信部（ＰＰＰ要求送信手段）１０２と、要否情報受信部（要否情報受信手段）１０３と、回線切断部（回線切断手段）１０４と、再接続要求送信部（再接続要求送信手段）１０５と、を含む。引き続いて、各構成要素について詳細に説明する。
【００３４】
接続要求受信部１０１は、情報通信装置２０から送信される回線接続要求を受信する部分である。接続要求受信部１０１は回線接続要求を受信すると情報通信装置２０との間で通信回線を接続する。
【００３５】
ＰＰＰ要求送信部１０２は、接続要求受信部１０１が受信した回線接続要求に基づいて通信回線が接続された後に、その通信回線を用いてＰＰＰ接続するためのＰＰＰ接続要求を情報通信装置２０に送信する部分である。より具体的には、情報通信端末２０がＰＰＰ接続要求を送信する前に、擬似的に回線接続処理を自身が行なったものと認識させてＰＰＰ接続処理を行なうこととなる。
【００３６】
要否情報受信部１０３は、接続要求受信部１０１が受信した回線接続要求に基づいて通信回線が接続された後に、その通信回線を用いて情報通信装置２０から送信されるコールバックの要否を特定するコールバック情報を受信する部分である。
【００３７】
回線切断部１０４は、要否情報受信部１０３が受信したコールバック情報がコールバックを要しない旨のものである場合には既に接続されている通信回線をそのまま維持し、コールバックを要する旨のものである場合には既に接続されている通信回線を切断する部分である。再接続要求送信部１０５は、回線切断部１０４が通信回線を切断した場合に、情報通信装置２０に回線接続要求を送信する部分である。
【００３８】
引き続いて、情報通信システム１を用いてＰＰＰ接続を行う方法について、図２を用いて説明する。図２は、情報通信システム１を用いてＰＰＰ接続を行う方法を示したシーケンス図である。情報通信装置２０の接続要求送信部２０１から情報通信端末１０に回線接続要求が送信される（ステップＳ０１）。
【００３９】
情報通信装置２０から送信された回線接続要求は情報通信端末１０の接続要求受信部１０１が受信し、情報通信端末１０と情報通信装置２０との間で通信回線が接続される（ステップＳ０２）。情報通信端末１０のＰＰＰ要求送信部１０２は、その通信回線を用いてＰＰＰ接続要求を情報通信装置２０に送信する（ステップＳ０３）。
【００４０】
情報通信端末１０から送信されたＰＰＰ接続要求は情報通信装置２０のＰＰＰ要求受信部２０２が受信し、情報通信装置２０と情報通信端末１０との間でＰＰＰ接続が確立される（ステップＳ０４）。
【００４１】
引き続いて、情報通信システム１を用いてコールバックを行う方法について、図３を用いて説明する。図３は、情報通信システム１を用いてコールバックを行う方法を示したシーケンス図である。情報通信装置２０の接続要求送信部２０１から情報通信端末１０に回線接続要求が送信される（ステップＳ１１）。
【００４２】
情報通信装置２０から送信された回線接続要求は情報通信端末１０の接続要求受信部１０１が受信し、情報通信端末１０と情報通信装置２０との間で通信回線が接続される（ステップＳ０２）。その通信回線を用いて、情報通信装置２０から情報通信端末１０に制御情報が受け渡される。制御情報には、情報通信端末１０から情報通信装置２０にコールバックをする必要があるかどうかのコールバック情報が含まれている。また制御情報には、情報通信端末１０がコールバックする際の接続先電話番号や接続用ＩＤや接続用パスワードといった情報が含まれていてもよい。
【００４３】
情報通信装置２０から送信されたコールバック情報は、情報通信端末１０の要否情報受信部１０３が受信する。コールバック情報を受信した要否情報受信部１０３は、コールバックする必要があるかどうかを判断する（ステップＳ１４）。その判断結果は回線切断部１０４に出力される。
【００４４】
回線切断部１０４は、要否情報受信部１０３が受信したコールバック情報がコールバックを要しない旨のものである場合には既に接続されている通信回線をそのまま維持し、コールバックを要する旨のものである場合には既に接続されている通信回線を切断する（ステップＳ１５）。
【００４５】
ステップＳ１５において通信回線が切断された場合には、再接続要求送信部１０５が情報通信装置２０に回線接続要求を送信する（ステップＳ１６）。情報通信端末１０から送信された回線接続要求は、情報通信装置２０の再接続要求受信部２０４が受信する。再接続要求受信部２０４が回線接続要求を受信すると、情報通信端末１０と情報通信装置２０との間で通信回線が接続される（ステップＳ１７）。
【００４６】
情報通信端末１０のＰＰＰ要求送信部１０２は、その通信回線を用いてＰＰＰ接続要求を情報通信装置２０に送信する（ステップＳ１８）。情報通信端末１０から送信されたＰＰＰ接続要求は情報通信装置２０のＰＰＰ要求受信部２０２が受信し、情報通信装置２０と情報通信端末１０との間でＰＰＰ接続が確立される（ステップＳ１９）。
【００４７】
次にコンピュータを、本実施形態の情報通信端末１０として機能させるための情報通信プログラム８２及びそれが記録されているコンピュータ読取可能な記録媒体８について説明する。図４は、情報通信プログラム８２が記録されている記録媒体８の構成を示した図である。記録媒体８としては、例えば、磁気ディスク、光ディスク、ＣＤ−ＲＯＭ、コンピュータに内蔵されたメモリなどが該当する。記録媒体８は、図４に示すように、プログラムを記録するプログラム領域８１を備えている。
【００４８】
プログラム領域８１には、情報通信プログラム８２が記録されている。情報通信プログラム８２は、処理を統括するメインモジュール８２１と、接続要求受信モジュール８２２と、ＰＰＰ要求送信モジュール８２３と、要否情報受信モジュール８２４と、回線切断モジュール８２５と、再接続要求送信モジュール８２６とを備える。ここで、接続要求受信モジュール８２２、ＰＰＰ要求送信モジュール８２３、要否情報受信モジュール８２４、回線切断モジュール８２５、再接続要求送信モジュール８２６のそれぞれを動作させることによって実現する機能は、上記情報通信端末１０の接続要求受信部１０１、ＰＰＰ要求送信部１０２、要否情報受信部１０３、回線切断部１０４、再接続要求送信部１０５のそれぞれの機能と同様である。
【００４９】
次にコンピュータを、本実施形態の情報通信装置２０として機能させるための情報通信プログラム９２及びそれが記録されているコンピュータ読取可能な記録媒体９について説明する。図５は、情報通信プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。記録媒体９は、図５に示すように、プログラムを記録するプログラム領域９１を備えている。
【００５０】
プログラム領域９１には、情報通信プログラム９２が記録されている。情報通信プログラム９２は、処理を統括するメインモジュール９２１と、接続要求送信モジュール９２２と、ＰＰＰ要求受信モジュール９２３と、要否情報送信モジュール９２４と、再接続要求受信モジュール９２５とを備える。ここで、接続要求送信モジュール９２２、ＰＰＰ要求受信モジュール９２３、要否情報送信モジュール９２４、再接続要求受信モジュール９２５のそれぞれを動作させることによって実現する機能は、上記情報通信装置２０の接続要求送信部２０１、ＰＰＰ要求受信部２０２、要否情報送信部２０３、再接続要求受信部２０４のそれぞれの機能と同様である。
【００５１】
本実施形態においては、情報通信装置２０側からの回線接続要求に基づいて接続される通信回線を用いて、情報通信端末１０がコールバックを要するか否かのコールバック情報を受信するので、コールバックの要否に応じた通信が可能となる。既に説明したように、コールバックが必要な場合には、接続されている通信回線を切断し、情報通信端末１０側からのコールバックによって再度接続した通信回線を用いてＰＰＰ接続要求を情報通信装置２０に送信できる。一方、コールバックが必要でない場合には、そのまま接続されている通信回線を用いてＰＰＰ接続要求を情報通信装置２０に送信できる。
【００５２】
【発明の効果】
本発明によれば、情報通信装置側からの回線接続要求に基づいて接続される通信回線を用いて、コールバックを要するか否かのコールバック情報を受信するので、コールバックの要否に応じた通信が可能となる。例えば、コールバックが必要な場合には、接続されている通信回線を切断し、情報通信端末側からのコールバックによって再度接続した通信回線を用いてＰＰＰ接続要求を情報通信装置に送信できる。一方、コールバックが必要でない場合には、そのまま接続されている通信回線を用いてＰＰＰ接続要求を情報通信装置に送信できる。従って本発明の目的とする、コールバックが不要な場合にはコールバックをしなくてもＰＰＰ接続が可能な、情報通信端末、情報通信装置、情報通信システム、情報通信方法、情報通信プログラム、及び、コンピュータ読取可能な記録媒体を提供することができた。
【図面の簡単な説明】
【図１】本発明の実施形態である情報通信システムを説明するための図である。
【図２】図１の情報通信システムを用いてＰＰＰ接続を行う方法を示したシーケンス図である。
【図３】図１の情報通信システムを用いてＰＰＰ接続を行う方法を示したシーケンス図である。
【図４】本発明の実施形態である情報通信プログラムを説明するための図である。
【図５】本発明の実施形態である情報通信プログラムを説明するための図である。
【符号の説明】
１…情報通信システム、１０…情報通信端末、２０…情報通信装置、１０１…接続要求受信部、１０２…ＰＰＰ要求送信部、１０３…要否情報受信部、１０４…回線切断部、１０５…再接続要求送信部、２０１…接続要求送信部、２０２…ＰＰＰ要求受信部、２０３…要否情報送信部、２０４…再接続要求受信部。
【図１】
2004070581.tif 000003
【図２】
2004070581.tif 000004
【図３】
2004070581.tif 000005
【図４】
2004070581.tif 000006
【図５】
2004070581.tif 000007